(57)【要約】【課題】ＦＭ送信機の送信周波数と、ラジオチューナ（受信機）の受信周波数を、ユーザが手動により一致させていた。【解決手段】データ生成部１２は、受信側において選局の基準とすることが可能なデータ項目に所定値を設定し、ＲＤＳ／ＲＢＤＳフォーマットのデータを生成する。周波数変調器２４は、データ生成部１２により生成されたＲＤＳ／ＲＢＤＳフォーマットのデータを周波数変調して出力する。データ項目は、プログラムタイプであってもよい。プログラムタイプは、ＦＭ送信機１００から送信されるデータの種類とは無関係に設定される。受信機は、プログラムタイプの値を所定値に設定した状態で選局する。【選択図】図１
2008177960.tif 000002
【特許請求の範囲】
【請求項１】
ＲＤＳ（Radio Data System）またはＲＢＤＳ（Radio Broadcast Data System）フォーマットに準拠した信号を送信可能なＦＭ送信機であって、
受信側において選局の基準とすることが可能なデータ項目に所定値を設定し、ＲＤＳ／ＲＢＤＳフォーマットのデータを生成するデータ生成部と、
前記データ生成部により生成された前記ＲＤＳ／ＲＢＤＳフォーマットのデータを周波数変調して出力する周波数変調器と、
を備えることを特徴とするＦＭ送信機。
【請求項２】
前記データ項目は、プログラムタイプであることを特徴とする請求項１に記載のＦＭ送信機。
【請求項３】
前記プログラムタイプは、ＦＭ送信機から送信されるデータの種類とは無関係に設定されることを特徴とする請求項２に記載のＦＭ送信機。
【請求項４】
前記データ項目は、音楽／音声コードであることを特徴とする請求項１に記載のＦＭ送信機。
【請求項５】
前記音楽／音声コードは、ＦＭ送信機から送信されるデータの種類とは無関係に設定されることを特徴とする請求項４に記載のＦＭ送信機。
【請求項６】
前記データ生成部は、ユーザの指定に従い前記所定値を設定することを特徴とする請求項１に記載のＦＭ送信機。
【請求項７】
ひとつの半導体基板上に一体集積化されたことを特徴とする請求項１から６のいずれかに記載のＦＭ送信機。
【請求項８】
請求項１から６のいずれかに記載のＦＭ送信機と、
前記ＦＭ送信機と所定のバスを介して接続され、ユーザに指示された前記所定値を取得し、前記ＦＭ送信機に伝送するホストプロセッサと、
を備え、
前記ＦＭ送信機は、前記ユーザに指示された前記所定値を前記データ項目に設定することを特徴とする電子機器。
【請求項９】
ＦＭ送信機において、
受信機において選局の基準に設定可能なＲＤＳ／ＲＢＤＳのデータ項目に、所定値を設定するステップと、
前記データ項目として前記所定値が設定されたＲＤＳ／ＲＢＤＳフォーマットのデータを生成するステップと、
前記ＲＤＳ／ＲＢＤＳフォーマットのデータを周波数変調して出力するステップと、
を実行し、
ＦＭ受信機において、
電波を受信し、ＲＤＳ／ＲＢＤＳフォーマットのデータをデコードして、前記選局の基準とすることが可能なデータ項目が前記所定値を有するチャンネルを抽出してチューニングするステップを実行することを特徴とする自動選局方法。
【発明の詳細な説明】
【技術分野】
【０００１】
本発明は、ＲＤＳ（Radio Data System）またはＲＢＤＳ（Radio Broadcast Data System）に対応したＦＭ送信機に関する。
【背景技術】
【０００２】
近年、欧州のＦＭラジオ局や米国のラジオ放送局は、テキストなどの付加的な情報を、欧州のＲＤＳ（ラジオデータ・システム）あるいは米国のＲＢＤＳ（ラジオ放送データ・システム）情報として送信している。ＲＤＳ／ＲＢＤＳを利用すれば、カーラジオの受信機において、現在受信している放送局の名称、音楽のジャンルなど、さまざまな情報を利用することができる（特許文献１、２）。
【０００３】
一方で、オーディオ信号をステレオコンポジット信号に変換し、周波数変調器を用いて周波数変調して出力するＦＭ送信機が知られている（特許文献３から５）。ＦＭ送信機を利用すれば、オーディオ信号をＲＣＡケーブルなどの配線を介さずに伝送することができるため、カーオーディオのＣＤチェンジャとヘッドユニット間の信号の伝送などに利用できる。さらに近年、ハードディスクオーディオ機器、メモリオーディオ機器、音楽再生機能を有する携帯電話端末が著しい普及を見せているが、こうした小型電子機器に蓄えられた楽曲データを、据え置き型のオーディオコンポ等のスピーカから再生する用途にも、ＦＭ送信機が用いられている。
【０００４】
【特許文献１】特開平８−２５６１３５号公報
【特許文献２】特開平８−１９１２３２号公報
【特許文献３】特開平９−０６９７２９号公報
【特許文献４】特開平１０−０１３３７０号公報
【特許文献５】特開平９−３１２５８８号公報
【非特許文献１】NATIONAL RADIO SYSTEMS COMMITTEE、「UNITED STATES RBDS STANDARD」、米国、１９９８年４月９日
【発明の開示】
【発明が解決しようとする課題】
【０００５】
ここで、従来では、ＦＭ送信機の送信周波数と、ラジオチューナ（受信機）の受信周波数を、ユーザが手動により一致させていた。この場合、ユーザはＦＭ送信機側の周波数を認識し、その周波数をラジオチューナ側に設定するため手間がかかっていた。また、ＦＭ送信機の送信周波数が他の放送局と重複する場合、ＦＭ送信機の送信周波数とラジオチューナの受信周波数を、再設定する必要があった。
【０００６】
本発明はこうした課題に鑑みてなされたものであり、その包括的な目的は、選局や周波数同調が容易に可能なＦＭ送信機の提供にある。
【課題を解決するための手段】
【０００７】
本発明のある態様は、ＲＤＳ（Radio Data System）またはＲＢＤＳ（Radio Broadcast Data System）フォーマットに準拠した信号を送信可能なＦＭ送信機に関する。このＦＭ送信機は、受信側において選局の基準とすることが可能なデータ項目に所定値を設定し、ＲＤＳ／ＲＢＤＳフォーマットのデータを生成するデータ生成部と、データ生成部により生成されたＲＤＳ／ＲＢＤＳフォーマットのデータを周波数変調して出力する周波数変調器と、を備える。
【０００８】
「選局の基準とすることが可能なデータ項目」とは、同調検索に使用されるデータをいい、技術前提として、受信機がデータ項目にある値を設定すると、データ項目としてその値を有する周波数を自動抽出可能となっている。
この態様によると、受信機の周波数を送信周波数と同調する際に、周波数を入力する代わりに、データ項目に所定値を入力すれば、受信機が自動的にデータ項目に所定値を有するチャンネルを自動選局することができる。
【０００９】
データ項目は、プログラムタイプであってもよい。たとえば、プログラムタイプとして、所定値「ニュース」を設定した場合、受信機において、プログラムタイプを「ニュース」設定すれば、ＦＭ送信機を自動選局することができる。
【００１０】
プログラムタイプは、ＦＭ送信機から送信されるデータの種類とは無関係に設定されてもよい。すなわち、所定値「ニュース」を設定した場合であっても、ＦＭ送信機から送信されるオーディオ信号の内容は、ニュースである必要はなく、任意でよい。この点で、放送局からの放送と異なっている。
【００１１】
データ項目は、音楽／音声（ミュージック／スピーチ）コードであってもよい。音楽／音声コードは、ＦＭ送信機から送信されるデータの種類とは無関係に設定されてもよい。
【００１２】
データ生成部は、ユーザの指定に従い所定値を設定してもよい。ユーザ自身が、受信機側のデータ項目の値と、ＦＭ送信機側のデータ項目の値を変更可能とすれば、さらに便宜である。
【００１３】
ＦＭ送信機は、ひとつの半導体基板上に一体集積化されてもよい。「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。これらの回路を１つのＬＳＩとして集積化することにより、回路面積を削減することができる。
【００１４】
本発明の別の態様は、電子機器である。この電子機器は、上述のいずれかの態様のＦＭ送信機と、ＦＭ送信機と所定のバスを介して接続され、ユーザに指示された所定値を取得し、ＦＭ送信機に伝送するホストプロセッサと、を備える。ＦＭ送信機は、ユーザに指示された所定値をデータ項目に設定する。
【００１５】
本発明のさらに別の態様は、ＲＤＳ（Radio Data System）／ＲＢＤＳ（Radio Broadcast Data System）を利用した自動選局方法に関する。この方法は、ＦＭ送信機において、受信機において選局の基準に設定可能なＲＤＳ／ＲＢＤＳのデータ項目に、所定値を設定するステップと、データ項目として所定値が設定されたＲＤＳ／ＲＢＤＳフォーマットのデータを生成するステップと、ＲＤＳ／ＲＢＤＳフォーマットのデータを周波数変調して出力するステップと、を実行する。ＦＭ受信機において、電波を受信し、ＲＤＳ／ＲＢＤＳフォーマットのデータをデコードして、選局の基準とすることが可能なデータ項目が所定値を有するチャンネルを抽出してチューニングするステップを実行する。
【００１６】
この態様によると、送信機と受信機において設定されるデータ項目を所定値に一致させることにより、自動選局が可能となる。
【００１７】
なお、以上の構成要素の任意の組合せや、本発明の構成要素や表現を、方法、装置、システムなどの間で相互に置換したものもまた、本発明の態様として有効である。
【発明の効果】
【００１８】
本発明によれば、自動選局が可能となる。
【発明を実施するための最良の形態】
【００１９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２０】
本明細書において、「部材Ａと部材Ｂが接続」された状態とは、部材Ａと部材Ｂが物理的に直接的に接続される場合や、部材Ａと部材Ｂが、電気的な接続状態に影響を及ぼさない他の部材を介して間接的に接続される場合も含む。
同様に、「部材Ａと部材Ｂの間に部材Ｃが設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００２１】
図１は、本発明の実施の形態に係るＦＭ送信機１００を搭載した電子機器２００の全体構成を示すブロック図である。この電子機器２００は、たとえば携帯電話端末、ラジオ受信機、シリコンオーディオプレイヤであって、オーディオの再生機能を備えている。再生されるオーディオ信号は、電子機器２００自体が備えるスピーカやイヤホンなどの電気音響変換素子自体から出力可能である。これに加えて、電子機器２００は、より高音質なオーディオ再生を可能とするために、オーディオ信号を周波数変調して、外部に電波として送出可能となっている。ユーザは、送信された信号を、外部のオーディオプレイヤによって受信し、より高音質で再生することができる。
【００２２】
本実施の形態に係るＦＭ送信機１００は、オーディオデータに加えて、文字データなどを送出可能である。そのために、ＦＭ送信機１００およびホストプロセッサ１２０は、ＲＤＳ／ＲＢＤＳに準拠した信号を生成する。なお、ＲＤＳ／ＲＢＤＳと書くとき、いずれか一方、または両方を意味するものとする。
【００２３】
電子機器２００は、音源１１０、ホストプロセッサ１２０、ＦＭ送信機１００、アンテナ１１２を備える。音源１１０とホストプロセッサ１２０は、同一のＩＣであってもよい。
【００２４】
音源１１０は、オーディオ信号Ｓ１を出力する。たとえば、オーディオ信号Ｓ１は、放送波を受信して復調した結果得られる信号でもよいし、メモリに記憶されたデータを再生した信号であってもよく、その生成方法は問わない。音源１１０とＦＭ送信機１００は、所定の形式のバス１１４で接続される。たとえばバス１１４はＩ２Ｓバスである。この場合、音源１１０とＦＭ送信機１００の間で、オーディオ信号Ｓ１はシリアルデータとして伝送される。
【００２５】
ＦＭ送信機１００は、音源１１０からのオーディオ信号Ｓ１を受ける。ＦＭ送信機１００は、インタフェース部２０、ステレオ変調器２２、周波数変調器２４、パワーアンプ２６、メモリ１０、データ生成部１２を備え、一つの半導体基板上に機能ＩＣ（Integrated Circuit）として一体集積化されている。なお、図１は、主要な回路ブロックのみを抽出して示したものであり、その他のブロックは適宜省略している。
【００２６】
インタフェース部２０は、入力端子１０２を介して音源１１０からのオーディオ信号Ｓ１を受ける。インタフェース部２０はオーディオ信号Ｓ１を受信し、ステレオ変調器２２に出力する。ステレオ変調器２２は、オーディオ信号Ｓ１に対してステレオ変調を施し、ステレオコンポジット信号Ｓ２を生成する。
【００２７】
ＲＤＳ／ＲＢＤＳの詳細は、非特許文献１などに詳細に記述されるため、それらを参照されたい。ホストプロセッサ１２０は、ＲＤＳ／ＲＢＤＳとして送信すべきデータＤ１を出力する。この送信すべきデータＤ１自体は、ＲＤＳ／ＲＢＤＳフォーマットではなく、テキストデータにすぎない。ホストプロセッサ１２０とＦＭ送信機１００は、所定の形式のバス１１６で接続される。たとえばバス１１６はＩ２Ｃバスである。インタフェース部２０は、バス１１６、入力端子１０４を介してデータＤ１を受ける。データＤ１は、オーディオ信号Ｓ１とともにアンテナ１１２から送出すべき付加的なデータである。また、ホストプロセッサ１２０からＦＭ送信機１００に対するデータ送信は、アンテナ１１２から送信すべきＲＤＳ／ＲＢＤＳデータが変更されるタイミングのみに行うのが望ましい。この場合、データの変更時にのみ、メモリ１０の内容が更新される。
【００２８】
メモリ１０はレジスタなどで構成され、インタフェース部２０で受けたデータＤ１を格納する。ＲＤＳ／ＲＢＤＳフォーマットでは、同一のデータが繰り返し送信される。ホストプロセッサ１２０は、ＦＭ送信機１００に対し、繰り返しの単位となるデータを一括して出力する。
【００２９】
たとえば、データＤ１は、
１）  放送局名
２）  文字情報（Radio Text）
３）  音楽／音声
４）  プログラムタイプ
５）  ＰＩ（プログラム識別）
の少なくとも一つのコード、あるいはこれらの組み合わせを含む。１）は「放送局名」をテキストデータとして含む。３）の「音楽／音声」は、放送中のデータが音楽、音声のいずれであるかを示す。４）の「プログラムタイプ」は、放送中のデータのジャンルを示す。たとえば、「０  定義なし」「１  ニュース」、「３  スポーツ」「１４  ジャズ」「１５  クラシック」などが設定される。５）のＰＩは、受信機が国を識別できるようにするコードである。
【００３０】
データ生成部１２は、メモリ１０に格納されたデータＤ１を適切に並び替え、ＲＤＳ／ＲＢＤＳフォーマットに準拠したグループデータＧ１を生成する。グループデータＧ１の生成は、所定のタイミングごと、たとえば８７．６ｍｓごとである。したがって、グループデータＧ１は、加算器２８へと８７．６ｍｓごとに繰り返し出力される。加算器２８は、ステレオ変調器２２からのステレオコンポジット信号Ｓ２とグループデータＧ１を加算する。周波数変調器２４は、グループデータＧ１を変調信号として、搬送波を周波数変調する。周波数変調器２４から出力される被変調信号は、パワーアンプ２６により増幅され、出力端子１０６および図示しないマッチング回路を介してアンテナ１１２に出力される。アンテナ１１２からは周波数変調されたデータが送出される。
【００３１】
図２は、ＲＤＳのグループデータＧ１のフォーマットを示す。グループデータ４０（Ｇ１）は、１０４ビットで構成される。グループデータＧ１は８７．６ｍｓごとに生成され、データ生成部１２から出力される。グループデータＧ１は、４つのブロック４１〜４４を含む。各ブロックは、２６ビットで構成され、１６ビットの情報ワード５０と１０ビットのチェックワード５２を含む。１番目のブロック４１の情報ワードは、ＰＩコードを含む。
情報ワードは、４ビット（Ａ３〜Ａ０）のグループタイプコード５４、１ビット（Ｂ０）のバージョンコード６０、１ビット（ＴＰ）のトラフィックプログラム識別コード６２、５ビット（ＰＴ４〜ＰＴ０）のプログラムタイプコード６４を含む。
各グループの２番目のブロック４２の先頭には、そのグループの用途を指定するためのグループタイプコード５４が割り当てられる。プログラムタイプコード６４、トラフィックプログラム識別コード６２は、各グループの２番目のブロック４２の所定の位置に割り当てられる。
【００３２】
チェックワードは１０ビットを含み、送信側、受信側において、伝送により発生するエラーを検出、訂正するためのビットである。オフセットは、それを包含するブロックが何番目のブロックかを示すデータである。チェックワードは、規格で定義される所定の規則にしたがって生成される。
【００３３】
送信すべき残りのデータは、残りのビットに割り当てられる。１ブロックにつき、２文字のデータを伝送することができる。図１のデータ生成部１２は、所定のタイミングごと、すなわち８７．６ｍｓごとにメモリ１０を参照し、図２のフォーマットに即したグループデータＧ１を生成する。
【００３４】
以上のように構成されたＦＭ送信機１００は以下の効果を有する。
第１に、ホストプロセッサ１２０がＲＤＳ・ＲＢＤＳフォーマットのデータを生成する必要がない。したがって、従来のホストプロセッサの流用が可能であり、従前からのバス（たとえばＩ２Ｃ）を利用して、送信すべきデータをＦＭ送信機１００に送信すればよい。
【００３５】
また、上述したように、ＲＤＳ／ＲＢＤＳによって送信されるデータは、ブロックごと、あるいはグループごとに、繰り返し送信されるデータを含む。したがって、もしホストプロセッサ１２０においてＲＤＳ／ＲＢＤＳデータを生成する場合、繰り返し送信されるグループデータＧ１のすべてのビットを生成し、８７．６ｍｓごと（ｆ＝１．１９ｋＨｚ）に１０４ビットものデータを、バス１１６を介して毎回、ホストプロセッサ１２０からＦＭ送信機１００に送信する必要がある。バス１１６の形式がなんであれ、それを介したデータ伝送には、電力消費が発生する。したがって、この方式では重複して送信するビットに関しては、毎回同じデータを送り直すことになるため、無駄な電力が発生していることになる。  これに対して、本実施の形態に係るＦＭ送信機１００によれば、送信すべきデータを一括してホストプロセッサ１２０からＦＭ送信機１００に伝送し、メモリ１０に保持する。その結果、次回以降のデータ伝送が不要となって重複したデータ転送が低減されるため、消費電力が低減される。
【００３６】
さらに、ホストプロセッサ１２０からは、
１）  放送局名
２）  文字情報
３）  音楽／音声
４）  プログラムタイプ
５）  ＰＩ（プログラム識別）
の少なくとも一つのコードを伝送する構成とし、チェックワードなどＦＭ送信機１００において生成可能なデータを、ホストプロセッサ１２０からＦＭ送信機１００に伝送しないことにより、さらにＦＭ送信機１００とホストプロセッサ１２０間で伝送されるデータ量を低減することができる。
【００３７】
また、ホストプロセッサ１２０は、電子機器２００全体を統括的に処理する。したがって、ＲＤＳ／ＲＢＤＳデータを８７．６ｍｓごとに生成し、ＦＭ送信機１００に伝送する場合、ホストプロセッサ１２０の処理能力が占有されてしまい望ましくない。本実施の形態では、ホストプロセッサ１２０の負荷を軽減することができる。
【００３８】
また、バス１１６を介したデータ伝送は、ノイズを発生させ、ステレオ変調や周波数変調に悪影響を及ぼし、ＦＭ送信機１００の特性を悪化させるおそれがあるが、本実施の形態では、バス１１６を介したデータの伝送回数、データ量を低減できるため、ＦＭ送信機の特性も改善することができる。
【００３９】
なお、ホストプロセッサ１２０がＲＤＳ／ＲＢＤＳフォーマットのデータを生成可能な場合には、ＦＭ送信機１００に以下で説明する汎用モードを実装してもよい。
ホストプロセッサ１２０は、ＲＤＳ／ＲＢＤＳフォーマットのデータをその内部で生成し、バス１１６を介してＦＭ送信機１００に出力する。この際のＲＤＳ／ＲＢＤＳフォーマットのデータは、チェックワードは含まない。データ生成部１２は、ホストプロセッサ１２０から受けたＲＤＳ／ＲＢＤＳフォーマットのデータに、チェックワードを付加し、加算器２８へと出力する。
汎用モードを実装すれば、上述したデータ以外のさまざまなデータを送信することができる。また、送信タイミングの８７．６ｍｓごとにバス１１６を介したデータ伝送が発生するが、チェックデータは伝送されないため、消費電力を低減できる。
【００４０】
次に、ＲＤＳ／ＲＢＤＳデータを利用した、ＦＭ送信機１００と受信機を同調する自動選局技術について説明する。本実施の形態に係る自動選局技術は、上述のＦＭ送信機１００を利用してもよいし、あるいは別の技術を利用してもよい。以下では、図１に示すＦＭ送信機１００を前提として説明する。
【００４１】
ＲＤＳ／ＲＢＤＳの技術的特徴として、受信機は所定のデータ項目（以下、単にコードともいう）を利用して同調検索が可能となってる点がある。すなわち、ラジオチューナなどの受信機において、ユーザが、あるコード「たとえばプログラムタイプ」に所定値「ニュース」を設定すると、放送波を全帯域に渡ってスキャンし、放送中のチャンネルのＲＤＳ／ＲＢＤＳデータを取得、デコードする。デコードの結果、プログラムタイプに所定値「ニュース」を含むチャンネルが自動選局される。複数のチャンネルが存在する場合、ユーザがいずれかを選択できる。
【００４２】
本実施の形態に係る自動選局技術について詳細に説明する。
図１のデータ生成部１２は、受信側において選局の基準とすることが可能なデータ項目（同調検索のキーワード）に所定値を設定し、ＲＤＳ／ＲＢＤＳフォーマットのデータを生成する。周波数変調器２４は、データ生成部１２により生成されたＲＤＳ／ＲＢＤＳフォーマットのグループデータＧ１を、ステレオ変調器２２からのステレオコンポジット信号Ｓ２とともに周波数変調して出力する。
【００４３】
たとえば、データ項目は、「プログラムタイプ」であることが望ましい。プログラムタイプの値は、「０  プログラムタイプなし」から「３１  警報」までの３２通りに設定が可能である。いずれの値に設定されるかは、電子機器２００のユーザが指定可能とすることが望ましい。この場合、ユーザインタフェース（図示しない）を介してユーザに指定されたプログラムタイプの値が、ホストプロセッサ１２０によって取得される。ホストプロセッサ１２０は、プログラムタイプとしてユーザに指定された値をデータＤ１として出力する。このプログラムタイプコードは、メモリ１０に書き込まれ、データ生成部１２はユーザの指定値に基づいたデータを生成することができる。
また、別の実施の形態として、プログラムタイプは、ＦＭ送信機１００にプリセットされていてもよい。
【００４４】
プログラムタイプは、ＦＭ送信機１００から送信されるデータの種類とは無関係に設定されてよい。すなわち、送信されるオーディオ信号が「ロック」である場合に、ユーザが設定するプログラムタイプの値が「ニュース」であることは問題がない。
【００４５】
また、プログラムタイプに代えて、「音楽／音声」コードを利用してもよい。この場合、値として「音楽」または「音声」のいずれかが設定される。この場合、音楽／音声コードは、ＦＭ送信機１００から送信されるデータの種類とは無関係に設定されてもよい。
【００４６】
通常の使用態様において、電子機器２００のユーザは、ラジオチューナ（受信機）のユーザと同一である。したがって、ユーザは、ＦＭ送信機１００においてプログラムタイプとして設定された値を知っているから、その値を受信機のプログラムタイプに設定することができる。
【００４７】
つまり、本実施の形態に係る自動選局方法では、以下の処理が実行される。
まず、ＦＭ送信機１００において、
（１）  受信機において選局の基準に設定可能なＲＤＳ／ＲＢＤＳのデータ項目（プログラムタイプ、音楽／音声）に、所定値を設定する。処理主体はホストプロセッサ１２０、データ生成部１２である。
（２）  データ項目として所定値が設定されたＲＤＳ／ＲＢＤＳフォーマットのデータを生成する。処理主体はデータ生成部１２である。
（３）  ＲＤＳ／ＲＢＤＳフォーマットのデータを周波数変調して出力する。処理主体は周波数変調器２４である。
また、受信機において、
（Ａ）  電波を受信し、ＲＤＳ／ＲＢＤＳフォーマットのデータをデコードして、データ項目が所定値を有するチャンネルを抽出してチューニングする。
【００４８】
本実施の形態に係る自動選局技術によれば、受信機において、プログラムタイプが設定された所定値を有するチャンネルが自動選局される。ＦＭ送信機１００からは、プログラムタイプがその所定値を有するＲＤＳ／ＲＢＤＳデータが尊信されている。したがって、ユーザは、受信機にＦＭ送信機１００の送信周波数を入力することなく、チューニングが可能となる。
【００４９】
なお、複数のチャンネルが抽出された場合、ユーザがその中からＦＭ送信機１００のチャンネルを選択すればよい。同時刻において、放送波による番組がプログラムタイプとして同一の値を有していることはまれであるから、ユーザは、多くとも２、３個のチャンネルから選択すればよいため、周波数を自ら設定する場合に比べて簡易に選局できる。
【００５０】
本実施の形態に係るＦＭ送信機１００ではなく、その他の送信機では、プログラムタイプは「０  プログラムタイプなし」に設定されるのが一般的であろう。または、プログラムタイプの値は、ＦＭ送信機１００から送信される信号の内容に即したデータであるかもしれない。これに対して、本実施の形態では、プログラムタイプの値を、積極的にある値に設定し、これを自動選局に利用している点が特徴的ともいえる。
【００５１】
実施の形態にもとづき、本発明を説明したが、実施の形態は、本発明の原理、応用を示しているにすぎず、実施の形態には、請求の範囲に規定された本発明の思想を離脱しない範囲において、多くの変形例や配置の変更が可能である。
【００５２】
実施の形態に係るＦＭ送信機１００では、図１のＦＭ送信機１００を前提として説明したが、自動選局に関する本発明はこれに限定されない。すなわち、ホストプロセッサ１２０自体がＲＤＳ／ＲＢＤＳデータを生成し、８７．６ｍｓごとにＦＭ送信機１００に送信してもよい。この場合でも、アンテナ１１２からは、同調検索の対象となるデータ項目が所定値を有する被変調信号が送信されるため、自動選局が可能となる。
【図面の簡単な説明】
【００５３】
【図１】本発明の実施の形態に係るＦＭ送信機を搭載した電子機器の全体構成を示すブロック図である。
【図２】ＲＤＳのグループデータのフォーマットを示す図である。
【符号の説明】
【００５４】
１０  メモリ、  １２  データ生成部、  ２０  インタフェース部、  ２２  ステレオ変調器、  ２４  周波数変調器、  ２６  パワーアンプ、  ２８  加算器、  １００  ＦＭ送信機、  １０２  入力端子、  １０４  入力端子、  １０６  出力端子、  １１４  バス、  １１６  バス、  １１０  音源、  １１２  アンテナ、  １２０  ホストプロセッサ、  ２００  電子機器。
【図１】
2008177960.tif 000003
【図２】
2008177960.tif 000004